(57)【要約】      （修正有）【課題】現場作業時における筆記具や照明具の保持を容易にする用具を提供する。【解決手段】複数の貫通孔を有する適宜巾の平板を設け、該平板部に連続して上方に保持部および舌片を設け、平板部下方に連続して挟持部を設けた。【選択図】図８
0003140405.tif 000002
【実用新案登録請求の範囲】
【請求項１】
複数の貫通孔を有する適宜巾の平板を設け、該平板部に連続して上方に保持部および舌片を設け、平板部下方に連続して挟持部を設けたことを特徴とするヘルメット用物品ホルダー。
【請求項２】
保持部に線状凸部を形成してなる請求項１記載のヘルメット用物品ホルダー。
【請求項３】
貫通孔に代えて有孔凸部を設けてなる請求項１又は２記載のヘルメット用物品ホルダー。
【請求項４】
相互の貫通孔間に切除部を設けてなる請求項１又は２記載のヘルメット用物品ホルダー。
【考案の詳細な説明】
【技術分野】
【０００１】  この考案は、現場作業時に用いる鉛筆その他の物品をヘルメットに保持することのできる物品ホルダーに関する。
【背景技術】
【０００２】  従来より、現場作業においては筆記具その他の物品を多用し、またヘルメットの着用が必要となるが、これらの各物品をヘルメットに保持させるためのホルダーは現在のところ見あたらない。
【考案の開示】
【考案が解決しようとする課題】
【０００３】  現場作業においては、鉛筆などの筆記具が多用され、不使用時には耳に挟んだり、服のポケットに入れるなどしている。しかし、ヘルメットをかぶったときにはヘルメット下端が耳に近接して位置するために耳に挟むことができない。服のポケットに入れて保管する方法もあるが、使用の都度取り出さねばならず、その所在も不明確になりがちで煩わしい。
現場作業時においては、作業性とともに作業者の安全面への配慮も不可欠であり、とくに薄暮時や夜間は見通しも悪く、より安全に注意しなければならない。
現場に照明を設置することで見通しもよくなるが、作業者個々にとっては人体周囲の明るさも必要であり、懐中電灯もよく併用される。以前より、炭坑その他においてライト付きのヘルメットも多用されているが、一般現場では使用頻度は高くない。
近年、発光ダイオードの特性を生かした懐中電灯が市販され、利用が広まりつつある。
現場において適宜にこれを利用すれば便利であるが、これをヘルメットに装着する用具は未だ見あたらない。
本案は以上のことからヘルメットに筆記具を着脱可能に装着するとともに、必要に応じて懐中電灯の取り付けも可能なる便利な用具を得るべく考案されたもので、現場作業者の利便性に貢献しうる新規かつ有用なる物品を提供することを目的に開発されたものである。
【課題を解決するための手段】
【０００４】  課題を解決する手段として本案は以下の構成とした。
すなわち、複数の貫通孔を有する適宜巾の平板を設け、該平板部に連続して上方に保持部および舌片を設け、平板部下方に連続して挟持部を設ける。
本案は以上の構成よりなるヘルメット用物品ホルダーである。
【考案の効果】
【０００５】  本案は下記の効果を有する。
１．筆記具をヘルメットに近接して着脱自在に保持することができ、作業者の利便性を高  めることができる。
２．結束バンド等を併用することにて懐中電灯の装着が可能となり、夜間等の作業性およ  び安全性を高めることができる。
３．本品はヘルメット下部に挟持する方式のため、必要に応じて着脱が可能である。
【考案を実施するための最良の形態】
【０００６】  以下、本考案の実施形態について説明する。
図において、１は平板部で、複数個の貫通孔２が穿設されている。この貫通孔は２列等間隔に配列される。３は保持部で、平板部上方を湾曲させた部分であり、その片面には複数本の線状凸部４がほぼ等間隔に平行に一体成形にて配置される。５は舌片で、保持部上方をさらに湾曲させるとともに中間部を切除して形成される斜方に立ち上がる部分である。６は挟持部で、平板部下方を略Ｕ字形に湾曲させ、その端部を斜方に形成した部分である。以上の各部は射出成形にて一体に形成される。
本案の使用に際しては図７のごとく挟持部をヘルメット下端から押圧挿入することにて、挟持部の弾力により本品はヘルメットに押圧挟持される。鉛筆などの筆記具装着の時は本品上方から筆記具を舌片に接触させ、そのままさらに下方に押すと舌片下方に湾曲部分があるために本品は弾性変形を起こしてヘルメット面との距離が変化し、筆記具はそのまま下方に移行して保持部に達する。この状態において、本品の弾力にて筆記具はヘルメット面に押圧挟持されて保持される。
筆記具使用時は、本品から引き抜いて使用し、使用後は既述の手段にて再び保持させることができる。このように、常にヘルメットおよび耳の近傍に筆記具が保持されて位置するので、筆記具を探すこともなくすぐに用いることができる。また、この筆記具はヘルメットに押圧挟持されているので現場作業時の紛失の恐れがない。さらに、貫通孔を利用して懐中電灯の保持が可能である。これは図８にて示すように、結束バンド（合成樹脂製の細巾紐状体で、その一端に特有形状の孔があり、この孔に他端を通して締めることにて、紐状体の戻りがなく、締め付けた位置を保持することができる市販品）を懐中電灯に巻き付けるとともに貫通孔を通して結束させることにて保持させることができ、小型の発光ダイオード使用の懐中電灯の保持を可能としたものである。【０００７】  懐中電灯を取り付ける場合において、左列の貫通孔と右列の貫通孔を適宜に選択して用いることにて、相互の結束バンド位置を斜方に位置させることができ、これにより懐中電灯を傾斜させて保持させることができる。例えば図のごとく、やや下向きに保持すればヘルメットが地面とほぼ並行でも足下近傍を照らすことができる。また、傾斜させずに平行に取り付けると遠方を照らすことができる。従って、筆記具保持に加えて照明器具の保持も可能となる。
図５は貫通孔に代えて有孔凸部７を設けた例である。これは一体成形にて上下に貫通孔を有する平面視Ｕ形の略半筒形部分を設けたものであり、機能と効果は前例同様である。
図６は本案の他例を示すもので、左列の孔と右列の孔間にクロスした細巾の切除部８を設けたものであり、平巾状の面ファスナーにて懐中電灯を保持させるものである。
すなわち、この面ファスナーを切除部を通して本品裏面に回し、別の平行な切除部から表側に回し、懐中電灯を介して相互に係着させることにて保持させるものである。切除部はクロス形状としているので、ヘルメットの左側と右側いずれの個所に装着しても対応することができ、また保持物品の解除も容易である。
以上、本案について記したが、本案は筆記具と懐中電灯の双方をヘルメット近傍に保持・装着させるところにその特徴を有し、現場作業者の利便性に貢献しうるものである。
本案品は合成樹脂による一体成形にての制作が可能であり、安価に製造することができる。また、本品上部は一部切除された斜方の舌片部分を有しているので、筆記具挿入時における弾性変形が容易で、使用しやすいものとなっている。既述の例では線状凸部を設けたので、筆記具をより安定させた状態での保持が可能であるが、簡略形として線状凸部を設けずに構成してもよい。なお、既述の例は実施の一例であり、近似の他の構成としてもよい。以上のごとく、本案によって筆記具の保持および着脱と懐中電灯の保持を可能とした有用なる用具を得ることができる。
【図面の簡単な説明】
【０００８】
【図１】  本考案の平面図
【図２】  本考案の正面図
【図３】  本考案の右側面図
【図４】  本考案の背面図
【図５】  本考案の他例の要部説明図
【図６】  本考案の他例の正面図
【図７】  本考案の使用説明図
【図８】  本考案の使用説明図
【符号の説明】
【０００９】１    平板部
２    貫通孔
３    保持部
４    線状凸部
５    舌片
６    挟持部
７    有孔凸部
８    切除部
９    ヘルメット
１０  筆記具
１１  懐中電灯
１２  結束バンド
【図１】
0003140405.tif 000003
【図２】
0003140405.tif 000004
【図３】
0003140405.tif 000005
【図４】
0003140405.tif 000006
【図５】
0003140405.tif 000007
【図６】
0003140405.tif 000008
【図７】
0003140405.tif 000009
【図８】
0003140405.tif 000010